(57)【要約】【課題】無線通信接続において被試験対象からのフレームの再送が発生するような劣悪な通信条件下であっても、所望の高いデータレートを維持して被試験対象に対する測定を行うことができる測定装置及び測定方法を提供する。【解決手段】ＤＵＴ１から送信されたフレームを受信する受信部１４と、受信部１４によりフレームのヘッダが正常に受信されたか否かを判断する判断部１６と、受信部１４によりヘッダが正常に受信されたと判断部１６が判断した場合に、確認応答フレームをＤＵＴ１に送信する確認応答送信部１３ｂと、受信部１４によりヘッダが正常に受信されたと判断部１６が判断したフレームに対して測定を行う測定部１７と、を備える。【選択図】図１
2019176238.tif 000002
【特許請求の範囲】
【請求項１】
あらかじめ定められた変調方式及び符号化率を用いて生成されたフレームを所定の送信先に送信した後に、前記フレームが前記送信先に受信されたことを示す確認応答フレームを受信しなかった場合に、前記フレームよりもデータレートを下げるように前記変調方式及び前記符号化率の少なくとも一方が変更されたフレームを再送する被試験対象（１）に対して測定を行う測定装置（１０）であって、
前記被試験対象から送信された前記フレームを受信する受信部（１４）と、
前記受信部により前記フレームのヘッダが正常に受信されたか否かを判断する判断部（１６）と、
前記受信部により前記ヘッダが正常に受信されたと前記判断部が判断した場合に、前記確認応答フレームを前記被試験対象に送信する確認応答送信部（１３ｂ）と、
前記受信部により前記ヘッダが正常に受信されたと前記判断部が判断した前記フレームに対して測定を行う測定部（１７）と、を備えることを特徴とする測定装置。
【請求項２】
変調方式と符号化率とが関連付けられた変調符号化方式インデックスに基づいて生成されたフレームをフレーム要求信号に応じて所定の送信先に送信した後に、前記フレームが前記送信先に受信されたことを示す確認応答フレームを受信しなかった場合に、前記フレームよりもデータレートを下げるように前記変調符号化方式インデックスが変更されたフレームを再送する被試験対象（１）に対して測定を行う測定装置（３０）であって、
前記被試験対象から送信された前記フレームを受信する受信部（１４）と、
前記受信部により前記フレームのヘッダが正常に受信されたか否かを判断する判断部（１６）と、
前記受信部により正常に受信されたと前記判断部が判断した前記ヘッダに含まれる前記変調符号化方式インデックスと所定値とを比較する比較部（２２）と、
前記比較部により前記変調符号化方式インデックスが所定値以下であると判断された場合には前記確認応答フレームを前記被試験対象に送信し、前記比較部により前記変調符号化方式インデックスが所定値以下であると判断されなかった場合には前記確認応答フレームを前記被試験対象に送信しない確認応答送信部（１３ｂ）と、
前記比較部により前記変調符号化方式インデックスが所定値未満であると判断された場合に前記フレーム要求信号を前記被試験対象に送信する要求信号送信部（１３ａ）と、
前記比較部により前記変調符号化方式インデックスが前記所定値と一致すると判断された前記フレームに対して測定を行う測定部（１７）と、を備える測定装置。
【請求項３】
前記受信部は、前記被試験対象がピングコマンドに応じて送信する応答フレームを前記フレームとして受信するものであることを特徴とする請求項１又は請求項２に記載の測定装置。
【請求項４】
前記受信部は、ＩＥＥＥ８０２．１１規格に準拠したフレームを前記フレームとして受信するものであることを特徴とする請求項１から請求項３のいずれかに記載の測定装置。
【請求項５】
前記測定部は、前記被試験対象の送信特性を測定することを特徴とする請求項１から請求項４のいずれかに記載の測定装置。
【請求項６】
請求項１に記載の測定装置を用いて前記被試験対象に対して測定を行う測定方法であって、
前記被試験対象から送信された前記フレームのヘッダが前記受信部により正常に受信されたか否かを判断する判断ステップ（Ｓ１３）と、
前記受信部により前記ヘッダが正常に受信されたと前記判断ステップが判断した場合に、前記確認応答フレームを前記被試験対象に送信する確認応答送信ステップ（Ｓ１４）と、
前記受信部により前記ヘッダが正常に受信されたと前記判断ステップが判断した前記フレームに対して測定を行う測定ステップ（Ｓ１５）と、を含むことを特徴とする測定方法。
【請求項７】
請求項２に記載の測定装置を用いて前記被試験対象に対して測定を行う測定方法であって、
前記被試験対象から送信された前記フレームのヘッダが前記受信部により正常に受信されたか否かを判断する判断ステップ（Ｓ２３）と、
前記受信部により正常に受信されたと前記判断ステップが判断した前記ヘッダに含まれる前記変調符号化方式インデックスと所定値とを比較する比較ステップ（Ｓ２４，Ｓ２６）と、
前記比較ステップにより前記変調符号化方式インデックスが所定値以下であると判断された場合には前記確認応答フレームを前記被試験対象に送信し、前記比較ステップにより前記変調符号化方式インデックスが所定値以下であると判断されなかった場合には前記確認応答フレームを前記被試験対象に送信しない確認応答送信ステップ（Ｓ２５）と、
前記比較ステップにより前記変調符号化方式インデックスが所定値未満であると判断された場合に前記フレーム要求信号を前記被試験対象に送信する要求信号送信ステップ（Ｓ２２）と、
前記比較ステップにより前記変調符号化方式インデックスが前記所定値と一致すると判断された前記フレームに対して測定を行う測定ステップ（Ｓ２７）と、を含むことを特徴とする測定方法。
【発明の詳細な説明】
【技術分野】
【０００１】
本発明は、例えば無線ＬＡＮの通信規格に基づいて動作する被試験対象に対して測定を行う測定装置及び測定方法に関する。
【背景技術】
【０００２】
情報通信技術の発展に伴って多様な無線通信技術が開発されている。このうち無線ＬＡＮの技術に関する通信規格としては、例えばＩＥＥＥ８０２．１１ｎが知られている。このＩＥＥＥ８０２．１１ｎでは、データ処理速度が最大５４０Ｍｂｐｓ以上である高処理率（High Throughput：ＨＴ）をサポートし、送信エラーを最小化し、データ速度を最適化するために送信側及び受信側の両方に多重アンテナを使用するＭＩＭＯ（Multiple Inputs and Multiple Outputs）技術が導入されている。
【０００３】
近年、無線ＬＡＮの普及が活性化され、ＩＥＥＥ８０２．１１ｎがサポートするデータ処理速度よりも高い処理率をサポートするための新しい無線ＬＡＮシステムの必要性が生じており、ＩＥＥＥ８０２．１１ｎ無線ＬＡＮシステムの次のバージョンとして次世代無線ＬＡＮシステムが提案されている。例えば、ＩＥＥＥ８０２．１１ａｃは、超高処理率（Very High Throughput：ＶＨＴ）をサポートするために開発された新しい通信規格である。
【０００４】
前述したＩＥＥＥ８０２．１１ｎやＩＥＥＥ８０２．１１ａｃ等の通信規格では、無線ＬＡＮのデータストリームの伝送において、変調符号化方式（Modulation and Coding Scheme：ＭＣＳ）を用いて、変調方式や符号化率などの組合せを選択できるようになっている。
【０００５】
無線ＬＡＮシステムでは、送信元の無線通信装置から送信されたフレームを送信先の無線装置が受信すると、送信先の無線装置はフレーム全体を誤りなく受信できた場合に確認応答（ＡＣＫ）フレームを送信元の無線通信装置に返送するようになっている（例えば、特許文献１参照）。送信元の無線通信装置はＡＣＫフレームを受信できない場合フレームの再送を実施するが、この場合には、フレームの送達確率を高めるためにフレームのデータレートを下げるのが一般的である。
【先行技術文献】
【特許文献】
【０００６】
【特許文献１】特開２０１６−８２２４５号公報
【発明の概要】
【発明が解決しようとする課題】
【０００７】
ところで、特許文献１に開示されたような無線通信装置を被試験対象として測定を行う測定装置として、ユーザが所望する任意の変調方式や符号化率で被試験対象にデータを生成させて送信させ、そのデータを解析することにより、任意の変調方式や符号化率で被試験対象の特性を測定するものがある。なお、フレームのデータレートは、変調方式及び符号化率の組合せによりに定まる。
【０００８】
しかしながら、上記の測定装置が被試験対象からの高いデータレートのフレームに対して測定を行う際に、測定装置の受信環境が劣悪な場合には受信誤りが発生し、被試験対象からのフレームの再送が頻発して高いデータレートを維持することができなくなってしまうという問題があった。
【０００９】
ここで、「測定装置の受信環境が劣悪な場合」とは、例えば、被試験対象の送信電力は一定であるが、被試験対象のアンテナ指向性に関する試験（ＯＴＡ試験、ＴＲＰ測定／ＴＩＳ測定）では、全方位について放射電力が一定にはならず、方向によって放射電力の強弱が生じるため、測定装置の受信側に到達する電力が一定ではなくなるような状況を意味する。このような場合には、補助として測定装置の受信側に増幅器を使用する場合があるが、ＳＮＲの観点では完全な対策ではなく、測定装置の受信側では結果的に復調できないことが生じてしまう。
【００１０】
本発明は、このような従来の課題を解決するためになされたものであって、無線通信接続において被試験対象からのフレームの再送が発生するような劣悪な通信条件下であっても、所望の高いデータレートを維持して被試験対象に対する測定を行うことができる測定装置及び測定方法を提供することを目的とする。
【課題を解決するための手段】
【００１１】
上記課題を解決するために、本発明に係る測定装置は、あらかじめ定められた変調方式及び符号化率を用いて生成されたフレームを所定の送信先に送信した後に、前記フレームが前記送信先に受信されたことを示す確認応答フレームを受信しなかった場合に、前記フレームよりもデータレートを下げるように前記変調方式及び前記符号化率の少なくとも一方が変更されたフレームを再送する被試験対象に対して測定を行う測定装置であって、前記被試験対象から送信された前記フレームを受信する受信部と、前記受信部により前記フレームのヘッダが正常に受信されたか否かを判断する判断部と、前記受信部により前記ヘッダが正常に受信されたと前記判断部が判断した場合に、前記確認応答フレームを前記被試験対象に送信する確認応答送信部と、前記受信部により前記ヘッダが正常に受信されたと前記判断部が判断した前記フレームに対して測定を行う測定部と、を備える構成である。
【００１２】
無線ＬＡＮのフレームは、前半のヘッダ部分が低データレートで構成され、後半のデータ部分が高データレートで構成されているため、高データレートのデータ部分が受信できないような環境であっても、ヘッダ部分だけ受信可能な場合がある。本発明に係る測定装置は、無線通信接続において被試験対象からのフレームの再送が発生するような劣悪な通信条件下であっても、ヘッダを正常に受信できた場合には被試験対象に確認応答フレームを送信するため、所望の高いデータレートを維持して被試験対象に対する測定を行うことができる。
【００１３】
また、本発明に係る測定装置は、変調方式と符号化率とが関連付けられた変調符号化方式インデックスに基づいて生成されたフレームをフレーム要求信号に応じて所定の送信先に送信した後に、前記フレームが前記送信先に受信されたことを示す確認応答フレームを受信しなかった場合に、前記フレームよりもデータレートを下げるように前記変調符号化方式インデックスが変更されたフレームを再送する被試験対象に対して測定を行う測定装置であって、前記被試験対象から送信された前記フレームを受信する受信部と、前記受信部により前記フレームのヘッダが正常に受信されたか否かを判断する判断部と、前記受信部により正常に受信されたと前記判断部が判断した前記ヘッダに含まれる前記変調符号化方式インデックスと所定値とを比較する比較部と、前記比較部により前記変調符号化方式インデックスが所定値以下であると判断された場合には前記確認応答フレームを前記被試験対象に送信し、前記比較部により前記変調符号化方式インデックスが所定値以下であると判断されなかった場合には前記確認応答フレームを前記被試験対象に送信しない確認応答送信部と、前記比較部により前記変調符号化方式インデックスが所定値未満であると判断された場合に前記フレーム要求信号を前記被試験対象に送信する要求信号送信部と、前記比較部により前記変調符号化方式インデックスが前記所定値と一致すると判断された前記フレームに対して測定を行う測定部と、を備える構成である。
【００１４】
この構成により、本発明に係る測定装置は、無線通信接続において被試験対象からのフレームの再送が発生するような劣悪な通信条件下であっても、ヘッダを正常に受信できた場合には比較部の比較結果に応じて被試験対象に確認応答フレームを送信するため、所望の高いデータレートを維持して被試験対象に対する測定を行うことができる。
【００１５】
また、本発明に係る測定装置においては、前記受信部は、前記被試験対象がピングコマンドに応じて送信する応答フレームを前記フレームとして受信するものであってもよい。
【００１６】
ここで、「ピング（Ｐｉｎｇ）」とは、ICMP Echo Request（応答はICMP Echo Reply）である。
【００１７】
この構成により、本発明に係る測定装置は、被試験対象がピングコマンドに応じて送信する応答フレームを受信部で受信した場合には、この応答フレームに対して測定を行うことができる。
【００１８】
また、本発明に係る測定装置においては、前記受信部は、ＩＥＥＥ８０２．１１規格に準拠したフレームを前記フレームとして受信するものであってもよい。
【００１９】
この構成により、本発明に係る測定装置は、ＩＥＥＥ８０２．１１規格に準拠したフレームを受信部で受信した場合には、このＩＥＥＥ８０２．１１規格に準拠したフレームに対して測定を行うことができる。
【００２０】
また、本発明に係る測定装置においては、前記測定部は、前記被試験対象の送信特性を測定するものであってもよい。
【００２１】
この構成により、本発明に係る測定装置は、測定部により被試験対象の送信特性を測定することができる。
【００２２】
また、本発明に係る測定方法は、上記の測定装置を用いて前記被試験対象に対して測定を行う測定方法であって、前記被試験対象から送信された前記フレームのヘッダが前記受信部により正常に受信されたか否かを判断する判断ステップと、前記受信部により前記ヘッダが正常に受信されたと前記判断ステップが判断した場合に、前記確認応答フレームを前記被試験対象に送信する確認応答送信ステップと、前記受信部により前記ヘッダが正常に受信されたと前記判断ステップが判断した前記フレームに対して測定を行う測定ステップと、を含む。
【００２３】
この構成により、本発明に係る測定方法は、無線通信接続において被試験対象からのフレームの再送が発生するような劣悪な通信条件下であっても、ヘッダを正常に受信できた場合には被試験対象に確認応答フレームを送信するため、所望の高いデータレートを維持して被試験対象に対する測定を行うことができる。
【００２４】
また、本発明に係る測定方法は、上記の測定装置を用いて前記被試験対象に対して測定を行う測定方法であって、前記被試験対象から送信された前記フレームのヘッダが前記受信部により正常に受信されたか否かを判断する判断ステップと、前記受信部により正常に受信されたと前記判断ステップが判断した前記ヘッダに含まれる前記変調符号化方式インデックスと所定値とを比較する比較ステップと、前記比較ステップにより前記変調符号化方式インデックスが所定値以下であると判断された場合には前記確認応答フレームを前記被試験対象に送信し、前記比較ステップにより前記変調符号化方式インデックスが所定値以下であると判断されなかった場合には前記確認応答フレームを前記被試験対象に送信しない確認応答送信ステップと、前記比較ステップにより前記変調符号化方式インデックスが所定値未満であると判断された場合に前記フレーム要求信号を前記被試験対象に送信する要求信号送信ステップと、前記比較ステップにより前記変調符号化方式インデックスが前記所定値と一致すると判断された前記フレームに対して測定を行う測定ステップと、を含む。
【００２５】
この構成により、本発明に係る測定方法は、無線通信接続において被試験対象からのフレームの再送が発生するような劣悪な通信条件下であっても、ヘッダを正常に受信できた場合には比較部の比較結果に応じて被試験対象に確認応答フレームを送信するため、所望の高いデータレートを維持して被試験対象に対する測定を行うことができる。
【発明の効果】
【００２６】
本発明は、無線通信接続において被試験対象からのフレームの再送が発生するような劣悪な通信条件下であっても、所望の高いデータレートを維持して被試験対象に対する測定を行うことができる測定装置及び測定方法を提供するものである。
【図面の簡単な説明】
【００２７】
【図１】本発明の第１の実施形態に係る測定装置の構成を示すブロック図である。
【図２】ＩＥＥＥ８０２．１１ｎの通信規格におけるシングルストリームでのＭＣＳを示す表である。
【図３】ＩＥＥＥ８０２．１１ａｃの通信規格におけるＭＣＳを示す表である。
【図４】（ａ）はＨＴのフレームフォーマットを示す図であり、（ｂ）はＶＨＴのフレームフォーマットを示す図である。
【図５】本発明の第１の実施形態に係る測定装置を用いる測定方法の処理を示すフローチャートである。
【図６】図５に示したフローチャートにおける処理を説明するためのシーケンス図である。
【図７】本発明の第２の実施形態に係る測定装置の構成を示すブロック図である。
【図８】本発明の第２の実施形態に係る測定装置を用いる測定方法の処理を示すフローチャートである。
【図９】図８に示したフローチャートにおける処理を説明するためのシーケンス図である。
【発明を実施するための形態】
【００２８】
以下、本発明に係る測定装置及び測定方法の実施形態について、図面を用いて説明する。
【００２９】
（第１の実施形態）
図１に示すように、本発明の第１の実施形態に係る測定装置１０は、被試験対象としてのＤＵＴ１と無線通信を行って、ＤＵＴ１に対して測定を行うものである。本実施形態では、測定装置１０は無線ＬＡＮ親機（ＡＰ：Access Point）として動作し、ＤＵＴ１は無線ＬＡＮ子機（ＳＴＡ：STAtion）として動作するものとするが、本発明はこれに限定されず、測定装置１０が無線ＬＡＮ子機、ＤＵＴ１が無線ＬＡＮ親機として動作するものであってもよい。なお、測定装置１０は、ＩＥＥＥ８０２．１１ａ／ｂ／ｇ／ｎ／ａｃのいずれかに準拠する通信規格に基づいて、ＤＵＴ１と通信するものとする。
【００３０】
既に述べたように、ＩＥＥＥ８０２．１１ｎ（以下、ＨＴとも称する）やＩＥＥＥ８０２．１１ａｃ（以下、ＶＨＴとも称する）等の通信規格では、ＭＣＳを用いて変調方式や符号化率などの組合せを選択できるようになっている。
【００３１】
図２は、ＨＴで設定可能な７７通りのＭＣＳのうち、空間ストリーム数が１のシングルストリームを対象とした８通りのＭＣＳを示している。図２に示すように、ＭＣＳインデックスごとに所望の変調方式と符号化率との組合せが定められており、ＭＣＳインデックスが低下するほど送達確率が高まる仕様になっている。
【００３２】
図３は、ＶＨＴで設定可能な空間ストリームごとの１０通りのＭＣＳを示している。図示のように、ＭＣＳインデックスが低下するほど送達確率が高まる仕様になっている。
【００３３】
ＤＵＴ１は、あらかじめ定められた変調方式及び符号化率を用いて生成されたフレームを送信先である測定装置１０に送信した後に、当該フレームが測定装置１０に受信されたことを示す確認応答フレーム（ＡＣＫフレーム）を受信しなかった場合に、測定装置１０への送達確率が高まるようにデータレートを下げたフレームを再送するものである。フレームのデータレートは、変調方式及び符号化率の少なくとも一方が変更されることにより変化する。
【００３４】
あるいは、ＤＵＴ１は、変調方式と符号化率とが関連付けられたＭＣＳインデックスに基づいて生成されたフレームをフレーム要求信号に応じて送信先である測定装置１０に送信した後に、当該フレームが測定装置１０に受信されたことを示すＡＣＫフレームを受信しなかった場合に、測定装置１０への送達確率が高まるようにデータレートを下げたフレームを再送するものである。フレームのデータレートは、ＭＣＳインデックスが変更されることにより変化する。
【００３５】
例えば、ＤＵＴ１は、あるＭＣＳインデックスの送信フレームに対するＡＣＫフレームを受信しなかった場合には、ＭＣＳインデックスを低下させたフレームを再送信し、更にその再送信したフレームに対するＡＣＫフレームを受信しなかった場合には、ＭＣＳインデックスを更に低下させたフレームを再送信する、といった動作を行うようになっている。
【００３６】
また、ＤＵＴ１は、あるＭＣＳインデックスの送信フレームに対するＡＣＫフレームを受信した後に、新たなフレームを要求するフレーム要求信号を受信した場合には、ＭＣＳインデックスを上昇させたフレームを再送信する、といった動作を行うようになっている。
【００３７】
ＤＵＴ１と測定装置１０との間で送受信されるフレームはヘッダとデータ部分からなっており、ＭＣＳインデックスの情報はヘッダに含まれている。例えば、図４（ａ）及び（ｂ）に示すように、ＨＴには３種類のフレームフォーマットがあり、ＶＨＴには１種類のフレームフォーマットがある。
【００３８】
より詳細には、図４（ａ）に示したＨＴについては、上段のフレームフォーマットのヘッダの「Ｌ−ＳＩＧ」、中段のフレームフォーマットのヘッダの「ＨＴ−ＳＩＧ」、下段のフレームフォーマットのヘッダの「ＨＴ−ＳＩＧ」にＭＣＳインデックスの情報が含まれている。また、図４（ｂ）に示したＶＨＴについては、フレームフォーマットのヘッダの「ＶＨＴ−ＳＩＧ−Ａ」と「ＶＨＴ−ＳＩＧ−Ｂ」にＭＣＳインデックスの情報が含まれている。
【００３９】
図１に示すように、本実施形態の測定装置１０は、送信データ生成部１１と、フレーム生成部１２と、送信部１３と、受信部１４と、ヘッダ抽出部１５と、判断部１６と、測定部１７と、表示部１８と、操作部１９と、制御部２０と、を備える。
【００４０】
送信データ生成部１１は、ユーザが設定した送信データを生成し、フレーム生成部１２に出力するようになっている。
【００４１】
フレーム生成部１２は、送信データ生成部１１から出力されたデータを含むフレームを生成（構成）し、送信部１３に出力するようになっている。
【００４２】
送信部１３及び受信部１４は、ＩＥＥＥ８０２．１１ａ／ｂ／ｇ／ｎ／ａｃのいずれかに準拠する通信規格に基づいて、ＤＵＴ１との間で無線通信接続を確立するようになっている。また、送信部１３及び受信部１４は、無線通信接続の確立後にＤＵＴ１との間で、測定に関する各種データを送受信するようになっている。
【００４３】
受信部１４は、受信アンテナ、ダウンコンバータ、ＡＤＣ（アナログディジタルコンバータ）、復調回路、復号処理回路等を備え、ＤＵＴ１から送信されたフレームを受信して、ヘッダ抽出部１５と測定部１７に出力するようになっている。
【００４４】
図４（ａ）及び（ｂ）に示したような無線ＬＡＮのフレームは、前半のヘッダ部分が低データレートで構成され、後半のデータ部分が高データレートで構成されている。このため、受信部１４が高データレートのデータ部分を受信する際に受信誤りが発生するような受信環境にあっても、ヘッダ部分だけ受信可能な場合がある。
【００４５】
そこで、ヘッダ抽出部１５は、受信部１４により受信されたフレームからヘッダのデータを抽出するようになっている。
【００４６】
判断部１６は、ヘッダ抽出部１５により抽出されたヘッダのデータが正常であるか否かを判断するようになっている。すなわち、判断部１６は、受信部１４によりフレームのヘッダが正常に受信されたか否かを判断するものである。なお、判断部１６による上記の判断は、例えば、ヘッダ抽出部１５により抽出されたヘッダにＭＣＳインデックスの情報が含まれているか否かに基づいて行われる。
【００４７】
送信部１３は、符号化処理回路、変調回路、ＤＡＣ（ディジタルアナログコンバータ）、アップコンバータ、送信アンテナ等を備え、フレーム送信部１３ａと、確認応答送信部１３ｂと、を構成する。
【００４８】
フレーム送信部１３ａは、フレーム生成部１２が生成したフレームに対してディジタル変調やアップコンバート等の処理を行った後に、このフレームを送信アンテナを介してＤＵＴ１に送信するようになっている。
【００４９】
確認応答送信部１３ｂは、ＤＵＴ１との間で無線通信接続を確立する際には、ＤＵＴ１から送信されるフレームを受信部１４が受信するごとにＡＣＫフレームをＤＵＴ１に出力するようになっている。
【００５０】
また、確認応答送信部１３ｂは、無線通信接続後にＤＵＴ１から受信したフレームを測定する際には、受信部１４によりヘッダが正常に受信されたと判断部１６が判断した場合に限って、ＡＣＫフレームをＤＵＴ１に送信するようになっている。
【００５１】
このように、確認応答送信部１３ｂは、受信部１４における高データレートのデータ本体の受信誤りの有無にかかわらず、受信部１４によりヘッダが正常に受信された場合にＡＣＫフレームを返送するため、送信元であるＤＵＴ１の送信データレートを高く維持することができる。
【００５２】
受信部１４がＤＵＴ１から測定のために受信するフレームは、ＩＥＥＥ８０２．１１規格に準拠したフレームであって、例えば、フレーム送信部１３ａがピングコマンドによりＤＵＴ１にＰｉｎｇ（ピング）リクエストフレームを送信した場合に、Ｐｉｎｇリクエストフレームに応答してＤＵＴ１が送信するＰｉｎｇリプライフレーム（応答フレーム）やＡＣＫフレーム（確認応答フレーム）である。あるいは、受信部１４がＤＵＴ１から受信するフレームは、擬似ランダムビット系列などのパルスパターンのデータを含むフレームであってもよい。
【００５３】
例えば、Ｐｉｎｇリプライフレームのデータ部分には、Ｐｉｎｇデータが含まれている。Ｐｉｎｇデータは、ピングコマンドのデータと、送信特性測定用データと、を含む。送信特性測定用データは、例えば、"００００・・・"、"０１０１・・・"、"１０１０・・・"等のデータパターンを含むものであって、所定の送信特性を測定するためにユーザによって設定されたデータである。測定装置１０は、これらのデータパターンを用いることにより、ＤＵＴ１の送信特性評価において、エラーの発生しやすいデータパターンを特定することが可能になる。
【００５４】
測定部１７は、受信部１４によりヘッダが正常に受信されたと判断部１６が判断したフレームに対して、ＤＵＴ１の送信特性に関する測定を行うようになっている。具体的には、測定部１７は、ＤＵＴ１の送信特性として、例えば、送信パワー、エラーベクトル振幅（ＥＶＭ）、コンスタレーション、スペクトラム等を測定可能である。
【００５５】
受信部１４において、高データレートのデータ部分について受信誤りが発生する場合であっても、測定部１７は、解析処理に比較的時間を掛けることができるため、送信特性を測定可能な場合がある。
【００５６】
表示部１８は、例えばＬＣＤやＣＲＴなどの表示機器で構成され、制御部２０からの制御信号に応じて、測定部１７によるＤＵＴ１の送信特性の測定結果や、判断部１６による判断結果などの各種表示内容を表示するようになっている。さらに、表示部１８は、各種条件を設定するためのソフトキー、プルダウンメニュー、テキストボックスなどの操作対象の表示を行うようになっている。
【００５７】
操作部１９は、ユーザによる操作入力を受け付けるためのものであり、例えば表示部１８の表示画面の表面に設けられたタッチパネルで構成される。あるいは、操作部１９は、キーボード又はマウスのような入力デバイスを含んで構成されてもよい。また、操作部１９は、リモートコマンドなどによる遠隔制御を行う外部制御装置で構成されてもよい。
【００５８】
操作部１９への操作入力は、制御部２０により検知されるようになっている。例えば、操作部１９により、測定部１７に実行させる送信特性測定の種類をユーザが指定することができる。
【００５９】
制御部２０は、例えばＣＰＵ、ＲＯＭ、ＲＡＭ、ＨＤＤなどを含むマイクロコンピュータ又はパーソナルコンピュータ等で構成され、測定装置１０を構成する上記各部の動作を制御する。
【００６０】
なお、送信データ生成部１１、フレーム生成部１２、ヘッダ抽出部１５、判断部１６、及び測定部１７は、ＦＰＧＡ（Field Programmable Gate Array）やＡＳＩＣ（Application Specific Integrated Circuit）などのディジタル回路で構成することや、制御部２０による所定のプログラムの実行によりソフトウェア的に構成することが可能である。あるいは、送信データ生成部１１、フレーム生成部１２、ヘッダ抽出部１５、判断部１６、及び測定部１７は、ディジタル回路によるハードウェア処理と所定のプログラムによるソフトウェア処理とを適宜組み合わせて構成することも可能である。
【００６１】
以下、本実施形態の測定装置１０を用いる測定方法について、図５のフローチャートを参照しながらその処理の一例を説明する。ここでは、ＤＵＴ１から送信されるフレームのデータレートが初期状態で最大である場合に、この最大のデータレートを維持させる処理を説明する。なお、最大のデータレートを与えるＭＣＳインデックスの最大値は、ＨＴの場合には７、ＶＨＴの場合には９である。また、ここでは、受信部１４がＤＵＴ１から測定のために受信するフレームがＰｉｎｇリプライフレームであるものとする。
【００６２】
まず、送信部１３及び受信部１４は、ＤＵＴ１との間において、ＩＥＥＥ８０２．１１ａ／ｂ／ｇ／ｎ／ａｃのいずれかに準拠する通信規格に基づいて、通信の接続の確立処理等を含む無線通信接続処理を行う（ステップＳ１１）。
【００６３】
次に、フレーム送信部１３ａは、ＰｉｎｇリクエストフレームをＤＵＴ１に送信する（ステップＳ１２）。
【００６４】
次に、判断部１６は、ＤＵＴ１から送信されたＰｉｎｇリプライフレームのヘッダが受信部１４により正常に受信されたか否かを判断する（判断ステップＳ１３）。
【００６５】
ステップＳ１３において、所定時間が経過してもＰｉｎｇリプライフレームのヘッダが受信部１４により正常に受信されたと判断されなかった場合には、制御部２０は処理を終了する。
【００６６】
一方、ステップＳ１３において、Ｐｉｎｇリプライフレームのヘッダが受信部１４により正常に受信されたと判断された場合には、フレーム送信部１３ａは、確認応答フレームとしてのＡＣＫフレームをＤＵＴ１に送信する（確認応答送信ステップＳ１４）。
【００６７】
次に、測定部１７は、ステップＳ１３においてヘッダが受信部１４により正常に受信されたと判断されたＰｉｎｇリプライフレームに対して、ＤＵＴ１の送信特性に関する測定を行う（測定ステップＳ１５）。
【００６８】
次に、表示部１８は、測定部１７が測定した測定結果を画面に表示する（ステップＳ１６）。
【００６９】
次に、前述のステップＳ１２からＳ１５までのフレームの送受信の処理の一例について、図６を用いて具体的に説明する。
【００７０】
測定装置１０は、ＰｉｎｇリクエストフレームをＤＵＴ１に送信する。ＤＵＴ１は、Ｐｉｎｇリクエストフレームを受信すると、それを受信したことを示すＡＣＫフレームを測定装置１０に送信する。
【００７１】
続いて、ＤＵＴ１は、Ｐｉｎｇリクエストフレームに応答するＰｉｎｇリプライフレーム（例えばＶＨＴ−ＭＣＳ９）を測定装置１０に送信する。
【００７２】
測定装置１０は、そのＰｉｎｇリプライフレーム（ＶＨＴ−ＭＣＳ９）のヘッダを正常に受信した場合には、ＡＣＫフレームをＤＵＴ１に送信し、当該Ｐｉｎｇリプライフレーム（ＶＨＴ−ＭＣＳ９）を測定対象のフレームとして送信特性を測定する。
【００７３】
以上説明したように、本実施形態に係る測定装置１０は、無線通信接続においてＤＵＴ１からのフレームの再送が発生するような劣悪な通信条件下であっても、ヘッダを正常に受信できた場合にはＤＵＴ１にＡＣＫフレームを送信するため、所望の高いデータレートを維持してＤＵＴ１に対する測定を行うことができる。
【００７４】
また、本実施形態に係る測定装置１０は、ＤＵＴ１がピングコマンドに応じて送信するＰｉｎｇリプライフレームを受信部１４で受信した場合には、このＰｉｎｇリプライフレームに対して測定を行うことができる。
【００７５】
また、本実施形態に係る測定装置１０は、ＩＥＥＥ８０２．１１規格に準拠したフレームを受信部１４で受信した場合には、このＩＥＥＥ８０２．１１規格に準拠したフレームに対して測定を行うことができる。
【００７６】
また、本実施形態に係る測定装置１０は、測定部１７によりＤＵＴ１の送信特性を測定することができる。
【００７７】
（第２の実施形態）
続いて、本発明の第２の実施形態に係る測定装置３０について図面を参照しながら説明する。なお、第１の実施形態と同様の構成については同一の符号を付して適宜説明を省略する。また、第１の実施形態と同様の動作についても適宜説明を省略する。
【００７８】
図７に示すように、本実施形態の測定装置３０は、図１に示した測定装置１０と比較して、ＭＣＳ記憶部２１と、比較部２２と、を備えている点が異なっている。
【００７９】
ＭＣＳ記憶部２１は、ユーザが操作部１９を操作することによって入力したＭＣＳインデックスの情報を記憶するようになっている。ＭＣＳ記憶部２１は、例えば、制御部２０のＲＯＭ、ＲＡＭ、ＨＤＤなどにより構成される。
【００８０】
ユーザによってＭＣＳ記憶部２１に記憶されるＭＣＳインデックスの情報としては、送信部１３及び受信部１４がＤＵＴ１との間で無線通信接続を確立する際に用いるＭＣＳインデックス（以下、「接続確立用ＭＣＳインデックス」とも称する）の情報と、無線通信接続後に受信部１４がＤＵＴ１から受信したフレームに含まれるＭＣＳインデックス（以下、「受信ＭＣＳインデックス」とも称する）と比較するためにあらかじめ定められた比較用ＭＣＳインデックスの情報と、がある。接続確立用ＭＣＳインデックス及び比較用ＭＣＳインデックスの情報は、送信部１３及び比較部２２に提供される。
【００８１】
比較部２２は、ＭＣＳ記憶部２１に記憶された比較用ＭＣＳインデックスと、受信部１４により正常に受信されたと判断部１６が判断したヘッダに含まれる受信ＭＣＳインデックスとを比較するようになっている。
【００８２】
また、比較部２２は、受信ＭＣＳインデックスが比較用ＭＣＳインデックス未満であると判断した場合にはその旨を示す所定値未満信号を、受信ＭＣＳインデックスが比較用ＭＣＳインデックスを超えると判断した場合にはその旨を示す所定値越え信号を確認応答送信部１３ｂに出力するようになっている。
【００８３】
さらに、比較部２２は、受信ＭＣＳインデックスと比較用ＭＣＳインデックスとが一致すると判断した場合にはその旨を示すＭＣＳインデックス一致信号を確認応答送信部１３ｂに出力するようになっている。
【００８４】
なお、比較部２２は、ＦＰＧＡ（Field Programmable Gate Array）やＡＳＩＣ（Application Specific Integrated Circuit）などのディジタル回路で構成することや、制御部２０による所定のプログラムの実行によりソフトウェア的に構成することが可能である。あるいは、比較部２２は、ディジタル回路によるハードウェア処理と所定のプログラムによるソフトウェア処理とを適宜組み合わせて構成することも可能である。
【００８５】
第１の実施形態と同様に、確認応答送信部１３ｂは、ＤＵＴ１との間で無線通信接続を確立する際には、ＤＵＴ１から送信されるフレームを受信部１４が受信するごとにＡＣＫフレームをＤＵＴ１に出力するようになっている。
【００８６】
また、確認応答送信部１３ｂは、無線通信接続後にＤＵＴ１から受信したフレームを測定する際には、比較部２２により受信ＭＣＳインデックスが比較用ＭＣＳインデックス以下であると判断された場合、すなわち、所定値未満信号又はＭＣＳインデックス一致信号が比較部２２から入力された場合に限って、ＡＣＫフレームをＤＵＴ１に送信するようになっている。
【００８７】
一方、比較部２２により受信ＭＣＳインデックスが比較用ＭＣＳインデックス以下であると判断されなかった場合、すなわち、所定値越え信号が比較部２２から入力された場合には、確認応答送信部１３ｂはＡＣＫフレームをＤＵＴ１に送信しないようになっている。
【００８８】
要求信号送信部としてのフレーム送信部１３ａは、比較部２２により受信ＭＣＳインデックスが比較用ＭＣＳインデックス未満であると判断された場合、すなわち、所定値未満信号が比較部２２から入力された場合には、フレームを要求するためのフレーム要求信号をＤＵＴ１に送信するようになっている。フレーム要求信号は、例えばＰｉｎｇリクエストフレームである。
【００８９】
測定部１７は、比較部２２により受信ＭＣＳインデックスが比較用ＭＣＳインデックスと一致すると判断されたフレームに対して、ＤＵＴ１の送信特性に関する測定を行うようになっている。
【００９０】
以下、本実施形態の測定装置３０を用いる測定方法について、図８のフローチャートを参照しながらその処理の一例を説明する。ここでは、ＤＵＴ１から送信されるフレームのＭＣＳインデックスを所望の値Ｉに維持させる処理を説明する。
【００９１】
まず、送信部１３及び受信部１４は、ＤＵＴ１との間において、ＩＥＥＥ８０２．１１ｎ／ａｃのいずれかに準拠する通信規格に基づいて、通信の接続の確立処理等を含む無線通信接続処理を行う（ステップＳ２１）。この無線通信接続処理において、送信部１３は、ＭＣＳ記憶部２１に記憶された接続確立用ＭＣＳインデックスをＤＵＴ１に通知して、受信部１４が、その接続確立用ＭＣＳインデックスに基づいて生成されたフレームをＤＵＴ１から受信することができる。なお、接続確立用ＭＣＳインデックスと比較用ＭＣＳインデックスとが同じであってもよい。
【００９２】
次に、フレーム送信部１３ａは、Ｐｉｎｇリクエストフレーム（フレーム要求信号）をＤＵＴ１に送信する（要求信号送信ステップＳ２２）。
【００９３】
判断部１６は、ＤＵＴ１から送信されたＰｉｎｇリプライフレームのヘッダが受信部１４により正常に受信されたか否かを判断する（判断ステップＳ２３）。
【００９４】
ステップＳ２３において、所定時間が経過してもＰｉｎｇリプライフレームのヘッダが受信部１４により正常に受信されたと判断されなかった場合には、制御部２０は処理を終了する。
【００９５】
一方、ステップＳ２３において、Ｐｉｎｇリプライフレームのヘッダが受信部１４により正常に受信されたと判断された場合には、比較部２２は、そのヘッダに含まれる受信ＭＣＳインデックスがＩ（比較用ＭＣＳインデックス）以下であるか否かを判断する（比較ステップＳ２４）。
【００９６】
ステップＳ２４において、受信ＭＣＳインデックスがＩ以下であると判断されなかった場合には、比較部２２から確認応答送信部１３ｂに所定値越え信号が出力され、ステップＳ２３の処理に戻る。すなわち、送信部１３は、フレームを受信したことを示すＡＣＫフレームをＤＵＴ１に送信しない。
【００９７】
一方、ステップＳ２４において、受信ＭＣＳインデックスがＩ以下であると判断された場合には、比較部２２から確認応答送信部１３ｂに所定値未満信号又はＭＣＳインデックス一致信号が出力され、送信部１３は、ＡＣＫフレームをＤＵＴ１に送信する（ステップＳ２５）。
【００９８】
次に、比較部２２は、受信ＭＣＳインデックスがＩであるか否かを判断する（比較ステップＳ２６）。すなわち、比較部２２は、受信したＰｉｎｇリプライフレームが測定対象であるか否かを判断する。
【００９９】
ステップＳ２６において、受信ＭＣＳインデックスがＩであると判断されなかった場合には、すなわち受信ＭＣＳインデックスがＩ未満である場合には、ステップＳ２２の処理に戻る。すなわち、受信ＭＣＳインデックスがＩのフレームを受信部１４が受信するまで、フレーム送信部１３ａは、Ｐｉｎｇリクエストフレーム（フレーム要求信号）をＤＵＴ１に送信することになる。
【０１００】
一方、ステップＳ２６において、受信ＭＣＳインデックスがＩと一致すると判断された場合には、測定部１７は、ステップＳ２６において受信ＭＣＳインデックスがＩであると判断されたＰｉｎｇリプライフレームに対して、ＤＵＴ１の送信特性に関する測定を行う（測定ステップＳ２７）。
【０１０１】
次に、表示部１８は、測定部１７が測定した測定結果を画面に表示する（ステップＳ２８）。
【０１０２】
次に、前述のステップＳ２２からＳ２７までのフレームの送受信の処理の一例について、図９を用いて具体的に説明する。
【０１０３】
測定装置３０は、ＰｉｎｇリクエストフレームをＤＵＴ１に送信する。ＤＵＴ１は、Ｐｉｎｇリクエストフレームを受信すると、それを受信したことを示すＡＣＫフレームを測定装置３０に送信する。
【０１０４】
続いて、ＤＵＴ１は、Ｐｉｎｇリクエストフレームに応答するＰｉｎｇリプライフレーム（例えばＶＨＴ−ＭＣＳ８）を測定装置３０に送信する。
【０１０５】
続いて、測定装置３０は、そのＰｉｎｇリプライフレームのヘッダを正常に受信し、そのフレームの受信ＭＣＳインデックスが所望の値Ｉ未満である場合には、ＡＣＫフレームとＰｉｎｇリクエストフレームをＤＵＴ１に送信する。なお、ここでは所望の値Ｉが例えば９であるとする。
【０１０６】
続いて、ＤＵＴ１は、Ｐｉｎｇリプライフレーム（例えばＶＨＴ−ＭＣＳ９）を再送する。測定装置３０は、そのＰｉｎｇリプライフレーム（ＶＨＴ−ＭＣＳ９）のヘッダを正常に受信し、そのフレームの受信ＭＣＳインデックスは所望の値Ｉであるので、ＡＣＫフレームをＤＵＴ１に送信し、当該Ｐｉｎｇリプライフレーム（ＶＨＴ−ＭＣＳ９）を測定対象のフレームとして送信特性を測定する。
【０１０７】
以上説明したように、本実施形態に係る測定装置３０は、無線通信接続においてＤＵＴ１からのフレームの再送が発生するような劣悪な通信条件下であっても、ヘッダを正常に受信できた場合には比較部２２の比較結果に応じてＤＵＴ１にＡＣＫフレームを送信するため、所望の高いデータレートを維持してＤＵＴ１に対する測定を行うことができる。
【０１０８】
また、本実施形態に係る測定装置３０は、ＤＵＴ１がピングコマンドに応じて送信するＰｉｎｇリプライフレームを受信部１４で受信した場合には、このＰｉｎｇリプライフレームに対して測定を行うことができる。
【０１０９】
また、本実施形態に係る測定装置３０は、ＩＥＥＥ８０２．１１規格に準拠したフレームを受信部１４で受信した場合には、このＩＥＥＥ８０２．１１規格に準拠したフレームに対して測定を行うことができる。
【０１１０】
また、本実施形態に係る測定装置３０は、測定部１７によりＤＵＴ１の送信特性を測定することができる。
【符号の説明】
【０１１１】
１  ＤＵＴ
１０，３０  測定装置
１１  送信データ生成部
１２  フレーム生成部
１３  送信部
１３ａ  フレーム送信部
１３ｂ  確認応答送信部
１４  受信部
１５  ヘッダ抽出部
１６  判断部
１７  測定部
１８  表示部
１９  操作部
２０  制御部
２１  ＭＣＳ記憶部
２２  比較部
【図１】
2019176238.tif 000003
【図２】
2019176238.tif 000004
【図３】
2019176238.tif 000005
【図４】
2019176238.tif 000006
【図５】
2019176238.tif 000007
【図６】
2019176238.tif 000008
【図７】
2019176238.tif 000009
【図８】
2019176238.tif 000010
【図９】
2019176238.tif 000011